(57)【要約】【課題】雷のサージ電流の進入を防止するための光ケーブル用保安箱の装着を、簡単且つ迅速に済ませることができ、しかも、保安箱自体の外形をコンパクトに抑えることができる光ケーブル用保安箱及び該保安箱へのケーブル取付け方法を提供する。【解決手段】金属線のテンションメンバー１８を備えた光ケーブル７の配線路に介装される光ケーブル用保安箱３１であって、光ケーブル７の光ファイバ心線１１を収納する心線ガイド溝４１と、テンションメンバー１８を収容するテンションメンバガイド溝４２とを個別に装備し、更に、テンションメンバガイド溝４２の途中にテンションメンバー１８の突き合わせ端部を係止する係止穴４５を装備する。【選択図】        図１
2004205609.tif 000002
【特許請求の範囲】
【請求項１】
金属線のテンションメンバーを備えた光ケーブルの配線路に介装される光ケーブル用保安箱であって、
前記光ケーブルの光ファイバ心線を収納すると共に、前記テンションメンバーを切断して切り離された該テンションメンバーの突き合わせ端部を互いに離反させて係止することを特徴とする光ケーブル用保安箱。
【請求項２】
前記光ケーブル用保安箱が、箱本体と、該箱本体に係着する蓋体とを備え、前記箱本体又は蓋体の一方に前記テンションメンバーの突き合わせ端部を落とし込むための係止穴を形成すると共に、前記蓋体又は箱本体の他方に前記係止穴に嵌合する突出部を形成し、前記蓋体を前記箱本体に係着したとき前記突出部が前記係止穴に嵌合して前記テンションメンバーの突き合わせ端部の相互を係止穴の深さ方向に折り曲げて係止することを特徴とする請求項１記載の光ケーブル用保安箱。
【請求項３】
前記箱本体に、収納する前記光ケーブルの光ファイバ心線を該光ファイバ心線の許容曲げ半径以上の曲率の湾曲状態に収容する心線ガイド溝と、前記心線ガイド溝と略同じ長さに形成されて前記テンションメンバーを収容保持するテンションメンバガイド溝とを、前記光ファイバ心線と前記テンションメンバーとが互いに離反した状態に隔離されるように、それぞれ個別に装備し、
且つ、前記テンションメンバガイド溝が前記係止穴の上を通過することを特徴とする請求項１又は２記載の光ケーブル用保安箱。
【請求項４】
前記テンションメンバガイド溝が、前記テンションメンバーの軸線方向の抜け出しを阻止する溝形状を有することを特徴とする請求項１乃至３のいずれか１項に記載の光ケーブル用保安箱。
【請求項５】
前記テンションメンバガイド溝には、前記テンションメンバーの飛び出しを規制する係止突起が突設されたことを特徴とする請求項１乃至４のいずれか１項に記載の光ケーブル用保安箱。
【請求項６】
前記光ケーブルを係止する保持部が、前記箱本体の両端部に連設されたことを特徴とする請求項１乃至５のいずれか１項に記載の光ケーブル用保安箱。
【請求項７】
前記箱本体の両端部に、前記光ケーブルを架空状態に支持する支持線の切断された端部を収容する支持線収容部を装備したことを特徴とする請求項１乃至６のいずれか１項に記載の光ケーブル用保安箱。
【請求項８】
上記請求項１乃至６のいずれか１項に記載の光ケーブル用保安箱を用い、前記光ケーブルの途中に、前記心線ガイド溝の長さ分相当に、前記光ファイバ心線とテンションメンバーとを分離させた心線露出部を形成し、この心線露出部の前記光ファイバ心線と前記テンションメンバーとをそれぞれ、前記心線ガイド溝及び前記テンションメンバガイド溝に収容保持させ、次いで、前記係止穴の中央に相当する位置で前記テンションメンバーを切断した後、前記箱本体に前記蓋体を係着して、前記テンションメンバーの突き合わせ端部相互を係止させると共に、前記心線ガイド溝内の光ファイバ心線が前記蓋体で覆われた状態に設定されることを特徴とする光ケーブル用保安箱へのケーブル取付け方法。
【発明の詳細な説明】
【０００１】
【発明の属する技術分野】
本発明は、架空光配線網から家屋等に光ケーブルを引き込む際に、例えば、家屋等の軒下に設定した引き込み点（引き落とし点）で光ケーブルの配線路に介装することで、雷のサージ電流が光ケーブルを介して家屋等の内部に流れ込むことを防止する光ケーブル用保安箱及び該保安箱へのケーブル取付け方法に関するものである。
【０００２】
【従来の技術】
図１４は、電柱１に架線された架空光配線網３から家屋５等に光ケーブル７を引き込む形態を例示したもので、家屋５の軒下に設定された引き込み点（引き落とし点）Ｐ１から家屋内に光ケーブルが敷設される。
【０００３】
図１５は、家屋５への引き込みに使用される光ケーブル７の拡大斜視図である。
この光ケーブル７は、光ドロップケーブルと呼ばれるもので、光ファイバ心線（図では２本であるが、単心でも、多心でも良い）１１の周囲をＰＶＣやポリエチレンなどのプラスチック被覆１２で覆った本体部１３と、この本体部１３と一体のプラスチック被覆１２内に、光ケーブル７を架空状態に支持するための支持線１４が挿通された支持線部１５とから構成されている。
【０００４】
本体部１３と支持線部１５とは、首部１６と呼ばれる細い連結部分で繋がっており、この首部１６にカッター等で切り込みを入れることで、図６及び図７に示すように、切り離すことができる。
【０００５】
本体部１３のプラスチック被覆１２には、光ファイバ心線１１がケーブル引き込み時や敷設時の張力に耐えるために、またプラスチック被覆１２の収縮を抑えるために、テンションメンバー（抗張力体）１８が内蔵されている。
【０００６】
支持線部１５に内蔵された支持線１４は、電柱間に架設した際の張力等に耐えられるように、ケーブルに所定の引張強度を付与するもので、通常、テンションメンバー１８よりも太径の鋼線が使用される。
テンションメンバー１８には、鋼線やＦＲＰ（強化プラスチック）を使用したものがあるが、ＦＲＰは鋼線よりも高価であり、また小径に曲げられると折れやすいという欠点があるため、鋼線を使用したものも多い。
支持線１４及びテンションメンバー１８の双方が鋼線の場合、例えば、支持線１４には直径が１．２ｍｍφの鋼線（被覆を施して２ｍｍ相当になる）が用いられ、テンションメンバー１８には直径が０．４ｍｍφの鋼線が用いられて、光ケーブル７の外形寸法としては、幅が約２ｍｍ、高さが５ｍｍ程度になる。
【０００７】
本体部１３の両外側面の略中央には、ノッチと呼ばれる切断用溝１９が装備されている。図示の切断用溝１９は、、横断面形状が略三角形の最も一般的な形状のものであるが、横断面形状が半円形のもの、矩形のもの等もある。
この切断用溝１９の部分を、専用の引き裂き工具（例えば、デタッチャーと呼ばれている工具）で切り開くことで、ケーブルの中間部でも、図８（ａ）に示すように、内部の光ファイバ心線１１が露出した状態にプラスチック被覆１２を縦断することができ、縦断したプラスチック被覆１２を撓ませることで、図８（ｂ）に示すように、光ファイバ心線１１をプラスチック被覆１２の外に取り出すことができる。
【０００８】
処で、図１４に示したように、光ケーブル７を家屋５内に引き込みする場合、支持線１４は屋外で切断されて軒下等に固定され、屋内に入ることはない。
しかし、本体部１３に装備されたテンションメンバー１８は、そのまま、屋内に入ることがある。
そのため、鋼線等の金属線をテンションメンバー１８に用いた光ケーブル７を家屋５に引き込む場合には、雷のサージ電流がテンションメンバー１８を介して家屋内の機器等に進入することになるので、このサージ電流の進入を防止するために、テンションメンバー１８を切断する保安箱が使用される。
【０００９】
図１６及び図１７は、サージ電流対策を行うケーブル用保安箱の従来例を示したものである。
このケーブル用保安箱２１は、家屋５の軒下等の外壁面５ａに固定される箱本体２３と、この箱本体２３の上を覆う蓋体２４とを備えた構成である。
箱本体２３内には、家屋５内に引き込む光ケーブル７の光ファイバ心線１１の余長を支持させる余長支持部材２６と、光ファイバ心線１１の屋外配線と加入者側の配線との接続を図る成端手段２７と、後述する途中で切断したメタル通信線の突き合わせ端部相互を所定の離反状態に支持する保安器ユニット２８とが装備されている。
余長支持部材２６は、図１７に示すように、光ファイバ心線１１を、光ファイバの許容曲げ半径以上（通常、半径３０ｍｍ以上）の曲率となるループ状に巻回した状態に収容支持する（例えば、特許文献１参照）。
【００１０】
【特許文献１】
特開２００１−３４５５７０号公報
【００１１】
【発明が解決しようとする課題】
ところが、上記のように、光ケーブル７の余長をループ状に巻回する余長支持部材２６を装備したケーブル用保安箱２１は、外形寸法が大きくなるため、家屋５上での設置スペースの確保が難しくなったり、或いは、家屋５の外観を損なう虞があった。
【００１２】
更に、光ケーブル７の余長を余長支持部材２６上に光ファイバの許容曲げ半径以上の曲率のループ状に巻回する構成では、プラスチック被覆１２を切り開いて、細径の光ファイバ心線１１を約１ｍ近くに渡って剥き出しにしなければならず、剥き出しにする光ファイバ心線１１の長さが長大になるために、光ファイバ心線１１を剥き出しにする作業自体に細心の注意が必要になる。更に、剥き出した光ファイバ心線１１を、傷つけないように丁寧に余長支持部材２６に巻き付ける作業を、数回にわたって繰り返さなければならず、作業性が悪いという問題も生じた。
【００１３】
また、光ファイバ心線の成端手段を固定状態に取り付けるために、作業に手間がかかるねじ締め操作等が必要で、光ケーブル７の余長をループ状に巻回させた状態に維持して取り付けを行い、そのため、作業性が悪いという問題もあった。
なお、上記特許文献１に記載されたケーブル用保安箱２１は、メタル通信線と光ケーブル心線との複合線に適用され、メタル通信線に流れるサージ電流を遮断しようとするもので、テンションメンバーに金属線が用いられた光ケーブルのサージ電流対策は行われていない。
【００１４】
本発明は、前述した問題点に鑑みてなされたものであり、その目的は、雷のサージ電流の進入を防止するための光ケーブル用保安箱の装着を、簡単且つ迅速に実施することができ、しかも保安箱自体の外形をコンパクトに抑えて、例えば、家屋上での設置スペースの確保を容易にすることができる光ケーブル用保安箱及び該保安箱へのケーブル取付け方法を提供することにある。
【００１５】
【課題を解決するための手段】
上記目的を達成するために、本発明に係る光ケーブル用保安箱は、請求項１に記載したように、  金属線のテンションメンバーを備えた光ケーブルの配線路に介装される光ケーブル用保安箱であって、
前記光ケーブルの光ファイバ心線を収納すると共に、前記テンションメンバーを切断して切り離された該テンションメンバーの突き合わせ端部を互いに離反させて係止することを特徴とする。
【００１６】
なお、請求項２に記載のように、上記光ケーブル用保安箱は、箱本体と、該箱本体に係着する蓋体とを備え、前記箱本体又は蓋体の一方に前記テンションメンバーの突き合わせ端部を落とし込むための係止穴を形成すると共に、前記蓋体又は箱本体の他方に前記係止穴に嵌合する突出部を形成し、前記蓋体を前記箱本体に係着したとき前記突出部が前記係止穴に嵌合して前記テンションメンバーの突き合わせ端部の相互を係止穴の深さ方向に（互いの離反方向に）折り曲げて係止する構成とすると良い。
【００１７】
また、請求項３に記載のように、上記光ケーブル用保安箱は、前記箱本体に、収納する前記光ケーブルの光ファイバ心線を該光ファイバ心線の許容曲げ半径以上の曲率の湾曲状態に収容する心線ガイド溝と、前記心線ガイド溝と略同じ長さに形成されて前記テンションメンバーを収容保持するテンションメンバガイド溝とを、前記光ファイバ心線と前記テンションメンバーとが互いに離反した状態に隔離されるように、それぞれ個別に装備し、
且つ、前記テンションメンバガイド溝が前記係止穴の上を通過する構成とすると良い。
【００１８】
また、上記目的を達成するために、本発明に係る光ケーブル用保安箱へのケーブル取付け方法は、請求項８に記載したように、請求項１乃至６のいずれか１項に記載の光ケーブル用保安箱を用い、前記光ケーブルの途中に、前記心線ガイド溝の長さ分相当に、前記光ファイバ心線とテンションメンバーとを分離させた心線露出部を形成し、この心線露出部の前記光ファイバ心線と前記テンションメンバーとをそれぞれ、前記心線ガイド溝及び前記テンションメンバガイド溝に収容保持させ、次いで、前記係止穴の中央に相当する位置で前記テンションメンバーを切断した後、前記箱本体に前記蓋体を係着して、前記テンションメンバーの突き合わせ端部相互を係止させると共に、前記心線ガイド溝内の光ファイバ心線が前記蓋体で覆われた状態に設定されることを特徴とする。
【００１９】
このように構成された光ケーブル用保安箱及び該保安箱へのケーブル取付け方法では、光ケーブルの配線路に保安箱を介装する際に、光ファイバ心線は光ファイバの許容曲げ半径以上の曲率となる湾曲状に僅かに撓ませた状態で収容するもので、光ファイバ心線をループ状に複数回巻回した状態で収容する従来の保安箱と比較すると、収容する光ファイバ心線の余長が短く、光ファイバ心線を剥き出しにする長さを大幅に短縮することができる。
更に、切断したテンションメンバーの突き合わせ端部相互は、箱本体の上に蓋体を係着させる動作時の係止穴と突出部との嵌合動作によって自動的に、係止穴内に係止されて、テンションメンバーの切断端の固定が容易にできる。
【００２０】
なお、好ましくは、請求項４に記載したように、前記光ケーブル用保安箱において、前記テンションメンバガイド溝が、前記テンションメンバーの軸線方向の抜け出しを阻止する溝形状を有した構成とすると良い。
上記の溝形状は、例えば、収容するテンションメンバーが途中で大きく折曲するように、溝に湾曲を与えたり、クランク状の曲げ部を形成することで、簡単に実現することができる。
【００２１】
そして、このように、テンションメンバーの軸線方向の抜けだしを阻止する溝形状を装備しておくことで、テンションメンバガイド溝にテンションメンバーを挿入した仮組立状態のときも、より安定した状態にテンションメンバーを仮固定しておくことが可能になり、蓋体を箱本体に係着させるまでの作業期間中に、作業者が手でテンションメンバーを押さえてテンションメンバーの抜けを防止するような配慮が不要になり、作業性が向上する。
【００２２】
なお、好ましくは、請求項５に記載したように、前記光ケーブル用保安箱において、前記テンションメンバガイド溝には、前記テンションメンバーの飛び出しを規制する係止突起が突設された構成とすると良い。
上記の係止突起は、例えば、テンションメンバガイド溝の側面に突出形成した突起とすることができる。
そして、このように係止突起を装備しておくことで、テンションメンバガイド溝にテンションメンバーを挿入した仮組立状態のとき、作業途中で、テンションメンバーが溝の上に飛び出すことを防止することができ、テンションメンバーの軸線方向への抜け出しを防止する溝構造の作用効果との相乗で、作業性が一層向上する。
テンションメンバーの飛び出し防止のためにテンションメンバガイド溝の側面に突設する係止突起を、テンションメンバガイド溝の溝の深さ方向に沿って延びるリブ状にすると、この係止突起自体がテンションメンバーの軸線方向への抜け出しを防止する機能も発揮することになり、更に作業性の向上を図ることができる。
【００２３】
なお、好ましくは、請求項６に記載したように、前記光ケーブル用保安箱において、前記光ケーブルを係止する保持部が、前記箱本体の両端部に連設された構成とすると良い。
このようにすると、光ケーブルに光ケーブル用保安箱を取り付ける際、光ファイバ心線を剥き出した部位を挟むケーブル両端を、予め保持部に保持させた状態で、光ファイバ心線やテンションメンバーを箱本体に収容する作業を開始することにより、作業中に、光ケーブルに作用する張力が不用意に剥き出しの光ファイバ心線に作用して光ファイバ心線を破損する虞がなくなり、作業性が向上する。
また、保持部によるケーブル固定力が、係止穴と突出部の嵌合によるテンションメンバーの固定強度を補強する役割を果たし、光ケーブルのより強固な固定が可能になる。
【００２４】
なお、好ましくは、請求項７に記載したように、前記光ケーブル用保安箱において、前記箱本体の両端部に、前記光ケーブルを架空状態に支持する支持線の切断された端部を収容する支持線収容部を装備した構成とすると良い。
このようにすると、光ケーブルに支持線が付属している場合に、切断した支持線の端部を支持線収容部に収容することで、コンパクト、且つ、整然とした外観で、支持線端部を処理することができ、支持線端部が露出することによる外観の低下を防止することができる。
【００２５】
【発明の実施の形態】
以下、本発明に係る光ケーブル用保安箱及び該保安箱へのケーブル取付け方法の好適な実施の形態を図面に基づいて詳細に説明する。
図１は、本発明に係る光ケーブル用保安箱の一実施の形態の分解斜視図である。
この光ケーブル用保安箱３１は、先に図１５で示した光ドロップケーブル（以下、単に、光ケーブルと呼ぶ）７を家屋等に引き込む際に、家屋等の引き込み点Ｐ１で光ケーブル７に接続することで、金属線のテンションメンバー１８の切断した突き合わせ端部の相互を互いに離反した状態に固定して、雷のサージ電流がテンションメンバー１８を介して家屋等の内部に進入することを防止するものである。
光ケーブル７の構造については、先に詳述しているので、同一符号を用いて説明は省略する。
【００２６】
本実施の形態の光ケーブル用保安箱３１は、図１に示すように、家屋等の外壁面に固定される箱本体３３と、この箱本体３３に係着する蓋体３５とから構成されている。
【００２７】
箱本体３３は、収納する光ケーブル７の光ファイバ心線１１を光ファイバの許容曲げ半径以上（通常、半径３０ｍｍ以上）の曲率の湾曲状態に収容する心線ガイド溝４１と、この心線ガイド溝４１と略同じ長さに延設されて光ケーブル７のテンションメンバー１８を収容保持する一対のテンションメンバガイド溝４２とを、光ファイバ心線１１とテンションメンバー１８とが互いに離反した状態で隔離されるように、それぞれ個別に装備している。
【００２８】
心線ガイド溝４１及びテンションメンバガイド溝４２は、箱本体３３の上面に装備されている。心線ガイド溝４１は、平面視では、直線状に見えるが、図２に示した正面図に破線で示すように、溝の深さが中央部で最深となるように形成されていて、溝の底面４１ａが、光ファイバ心線１１を緩やかな湾曲状態（既述の光ファイバの許容曲げ半径以上の曲率）に支持する湾曲面となっている。
【００２９】
一対のテンションメンバガイド溝４２は、光ファイバ心線１１から分離された２本のテンションメンバー１８をそれぞれ個別に光ファイバ心線１１から離して収納するように、心線ガイド溝４１から分岐した後に再合流させた溝で、溝の側面に、心線ガイド溝４１の底面４１ａと略同じ湾曲を設定することで、心線ガイド溝４１と略同等の収容長を与えている。このテンションメンバガイド溝４２の場合は、図２に示すように、溝の深さが一定である。
【００３０】
テンションメンバガイド溝４２に付与した湾曲Ｒ１（図３参照）は、溝に挿入されたテンションメンバー１８の軸線方向の抜け出しを阻止する溝形状として機能する。
また、テンションメンバガイド溝４２の両側面には、テンションメンバー１８の溝からの飛び出しを規制する微小な係止突起４４が、溝の長さ方向に適宜間隔で複数箇所に突設されている。
本実施の形態の場合、係止突起４４は、溝の深さ方向に沿って延在するリブ状で、溝に挿入されたテンションメンバー１８の軸線方向の抜け出しを阻止する役割も果たす。
【００３１】
箱本体３３には、テンションメンバガイド溝４２の長さ方向の中間位置に、テンションメンバー１８を通過させ、後工程で切断されたテンションメンバー１８の突き合わせ端部を落とし込むための係止穴４５が形成してある。
また、蓋体３５の係止穴４５に対向する位置には、係止穴４５に嵌合する突出部５１が形成してある。
蓋体３５を箱本体３３に係着したとき、突出部５１が係止穴４５に嵌合して、その際、突出部５１がテンションメンバー１８の突き合わせ端部相互を係止穴４５の深さ方向に（互いの離反方向に）折り曲げて、係止穴４５の内壁面と突出部５１の外壁面との間に挟持状態にして、テンションメンバー１８の突き合わせ端部を固定する。
【００３２】
本実施の形態の箱本体３３は、光ケーブル７を係止する保持部４６が、箱本体３３の両端部に連設されている。この保持部４６は、光ケーブル７の支持線１４を分離した本体部１３を係止させる溝４６ａを装備したもので、この溝４６ａに本体部１３を割り込ませることで、本体部１３を固定保持する。
また、箱本体３３の両端部には、図２〜図４に示すように、支持線１４の切断された端部を差し込み収容する支持線収容部４７を装備している。
【００３３】
蓋体３５は、図５にも示すように、箱本体３３の上面を覆う天板部５２の下面に、突出部５１を突設したものである。この蓋体３５は、天板部５２の両側縁の４箇所に弾性片５４を箱本体３３に向かって延出させており、この弾性片５４には、箱本体３３の前後側面に突設した係着用の係止突起４８が係合する係合穴５５が形成されている。
本実施の形態の場合、箱本体３３の係止突起４８は、箱本体３３の側面を凹状にした案内用段差部４９に形成されている。
案内用段差部４９は、弾性片５４が嵌合する凹部で、箱本体３３に蓋体３５を被せた際に、弾性片５４の進入を案内して、係止突起４８と係合穴５５との係合を良好にする。
蓋体３５と箱本体３３は、係止突起４８と係合穴５５との係合によって、合体した状態に固定される。
【００３４】
以上の光ケーブル用保安箱３１は、箱本体３３上に所定の状態に光ケーブル７の光ファイバ心線１１及びテンションメンバー１８をセットし、箱本体３３に蓋体３５を係着させることで、光ケーブル７の光ファイバ心線１１を収納すると共に、テンションメンバー１８を切断して切り離されたテンションメンバー１８の突き合わせ端部を所定の離間距離に離反させて係止する。
【００３５】
次に、上記の光ケーブル用保安箱３１を光ケーブル７に取り付ける方法について詳述する。
まず、図６及び図７に示すように、光ケーブル７の途中に、カッター等で光ケーブル７の首部１６に切り込みを入れて、支持線部１５を本体部１３から分離した状態にする。
次いで、図８（ａ）に示すように、支持線部１５から分離した本体部１３の切断用溝１９を専用工具で切り開いて、図８（ｂ）及び図９に示すように、光ファイバ心線１１を剥き出した心線露出部７ａを作る。
この心線露出部７ａの長さは、図２に示した心線ガイド溝４１の底面４１ａの長さに略等しいもので、約５０ｍｍであり、従来の約１／２以下で良い。
【００３６】
次いで、図１０に示すように、心線露出部７ａの範囲の両端で、光ファイバ心線１１とテンションメンバー１８とが一体の部位を、箱本体３３の保持部４６に係止させた後、剥き出されている光ファイバ心線１１とテンションメンバー１８とを、箱本体３３の心線ガイド溝４１とテンションメンバガイド溝４２とにそれぞれ収容保持させる。この時、支持線部１５は、箱本体３３の下方側に撓ませた状態にしておく。
【００３７】
次いで、図１１（ａ）に示すように、一対のテンションメンバガイド溝４２に収容した各テンションメンバー１８を、係止穴４５の中央に相当する位置（ア）でニッパー等の工具を使って切断する。
その後、図１１（ｂ）に示すように、箱本体３３上に蓋体３５を係着させる。蓋体３５を箱本体３３に係着させると、図１２（ｂ）に示すように、蓋体３５の突出部５１が箱本体３３の係止穴４５内に嵌入する動作に伴って、テンションメンバー１８の突き合わせ端部の相互が係止穴４５の深さ方向に折り曲げられて、係止穴４５と突出部５１との間に挟持された状態に係止されると共に、心線ガイド溝４１内の光ファイバ心線１１が蓋体３５の天板部５２で覆われ、また、蓋体３５の係合穴５５に箱本体３３の係止突起４８が係合して、箱本体３３と蓋体３５とが一体化された状態になる。
【００３８】
その後、箱本体３３に下方側に撓ませてあった支持線部１５を、図１２（ｂ）に示すように、一定長に渡って切除して、切除した支持線部１５の先端部１５ａを、箱本体３３の両端に装備した支持線収容部４７に挿入して固定すれば、保安箱の光ケーブルへの取付け作業は全て完了する。
【００３９】
以上のように、本実施の形態の光ケーブル用保安箱３１と、この光ケーブル用保安箱３１を使用したケーブル取付け方法では、光ケーブル７の配線路に保安箱を介装する際に、光ファイバ心線１１は光ファイバの許容曲げ半径以上の曲率となる湾曲状に僅かに撓ませた状態で収容するもので、光ファイバ心線１１をループ状に複数回巻回した状態で収容する従来の保安箱と比較すると、収容する光ファイバ心線１１の余長が短く、光ファイバ心線１１を剥き出しにする長さを大幅に短縮することができる。
従って、光ファイバ心線１１を剥き出す作業が容易になると同時に、保安箱内への余長の収容作業も容易になる。
【００４０】
更に、切断したテンションメンバー１８の突き合わせ端部相互は、箱本体３３に蓋体３５を被着させることで生じる、係止穴４５と突出部５１との嵌合動作によって自動的に係止穴４５内に係止されるため、ねじ締め等の手間のかかる作業が不要で、テンションメンバー１８の切断端の固定も容易にできる。
従って、雷のサージ電流の進入を防止する光ケーブル用保安箱３１の装着を、簡単且つ迅速に済ませることができる。
【００４１】
また、保安箱内に収容する光ファイバ心線１１の余長が短くて済むため、保安箱自体の外形をコンパクトに抑えることができ、その結果、家屋上での設置スペースの確保を容易にすると同時に、保安箱が小さく目立たないため、家屋の外観を損なう虞もなくなる。
なお、保安箱は樹脂成型品として作製されて軽量化も図られるので、家屋等の外壁に固定しないで、光ケーブルに介挿されて架空状態に設定しておくこともできる。
【００４２】
本実施の形態では、テンションメンバガイド溝４２に付与した湾曲Ｒ１が、収容したテンションメンバー１８の軸線方向の抜け出しを阻止する溝形状として機能するため、テンションメンバガイド溝４２にテンションメンバー１８を挿入した仮組立状態のときも、より安定した状態にテンションメンバー１８を仮固定しておくことが可能になり、蓋体３５を箱本体３３に係着させるまでの作業期間中に、作業者が手でテンションメンバー１８を押さえてテンションメンバー１８の抜けを防止するような配慮が不要になり、作業性が向上する。
なお、テンションメンバー１８の軸線方向の抜け出しを阻止する溝形状としては、上記実施の形態に限らない。例えば、テンションメンバガイド溝４２を鉤形またはクランク状に屈曲部を備えた構造としても良い。
【００４３】
また、本実施の形態では、テンションメンバガイド溝４２には、テンションメンバー１８の飛び出しを規制する係止突起４４を突設しているため、テンションメンバガイド溝４２にテンションメンバー１８を挿入した仮組立状態のとき、作業途中で、テンションメンバー１８が溝の上方に飛び出すことを防止することができ、テンションメンバー１８の軸方向への抜け出しを防止する溝構造の作用効果との相乗で、作業性が一層向上する。
また、本実施の形態の係止突起４４は、テンションメンバガイド溝４２の溝の深さ方向に沿って延びるリブ状のため、この係止突起４４自体がテンションメンバー１８の軸方向への抜け出しを防止する機能も発揮することになり、更に作業性の向上を図ることができる。
【００４４】
更に、本実施の形態では、光ケーブル７に光ケーブル用保安箱３１を取り付ける際、光ファイバ心線１１を剥き出した心線露出部７ａを挟む本体部１３の両端を、予め箱本体３３に装備した保持部４６に保持させた状態にした上で、光ファイバ心線１１やテンションメンバー１８を箱本体３３に収容する作業を開始することで、作業中に、光ケーブル７に作用する張力が不用意に剥き出しの光ファイバ心線１１に作用して光ファイバ心線１１を破損する虞がなくなり、作業性が向上する。
また、保持部４６によるケーブル固定力が、係止穴４５と突出部５１の嵌合によるテンションメンバー１８の固定強度を補強する役割を果たし、光ケーブル７のより強固な固定が可能になる。
【００４５】
また、本実施の形態では、箱本体３３の両端部に、光ケーブル７を架空状態に支持する支持線１４の切断された端部を収容する支持線収容部４７を装備していて、コンパクト、且つ、整然とした外観で、支持線１４端を処理することができ、支持線１４端部が露出することに起因する外観の低下を防止することができる。
【００４６】
なお、本発明に係る光ケーブル用保安箱において、係止穴４５や突出部５１の装備位置は、上記実施の形態に限定するものではない。
例えば、係止穴４５を蓋体３５側に装備し、天板部５２を箱本体３３側に装備した構成とすることも可能である。
【００４７】
また、心線ガイド溝４１やテンションメンバガイド溝４２の装備数は、収容する光ケーブルを構成する光ファイバ心線の数量やテンションメンバーの数量に応じて設定すれば良く、上記の実施の形態に限定するものではない。
【００４８】
また、収容する光ケーブルによっては、支持線が付属しない場合もあるので、支持線の切断端を収容するための支持線収容部は、必要に応じて省略することも可能である。
【００４９】
【発明の効果】
本発明の光ケーブル用保安箱及び該保安箱へのケーブル取付け方法は、光ファイバ心線をループ状に複数回巻回した状態で収容する従来の保安箱と比較すると、収容する光ファイバ心線の余長を短くして、光ファイバ心線を剥き出しにする長さを大幅に短縮することができる。
従って、光ファイバ心線を剥き出す作業が容易になると同時に、保安箱内への余長の収容作業も容易になる。
【００５０】
更に、切断したテンションメンバーの突き合わせ端部の相互は、箱本体の上に蓋体を係着させる動作時の係止穴と突出部との嵌合動作によって自動的に係止穴内に係止されるため、テンションメンバーの切断端の固定も容易にできる。
従って、雷のサージ電流の進入を防止するための光ケーブル用保安箱の装着を、簡単且つ迅速に済ませることができる。
【００５１】
また、保安箱内に収容する余長が短くなるため、保安箱自体の外形をコンパクトに抑えることができ、その結果、家屋上での設置スペースの確保を容易にすると同時に、保安箱が小さく目立たないため、家屋の外観を損なう虞もなくなる。
【図面の簡単な説明】
【図１】本発明に係る光ケーブル用保安箱の一実施の形態の分解斜視図である。
【図２】図１に示した光ケーブル用保安箱の正面図である。
【図３】図２のＣ矢視図である。
【図４】図３のＤ矢視図である。
【図５】図２のＥ矢視図である。
【図６】光ケーブルの本体部と支持線部とを切り離す工程の説明図で、（ａ）は分離前を、（ｂ）は分離後を示す図である。
【図７】図６（ｂ）のＡ−Ａ線に沿う断面図である。
【図８】（ａ）は図７に示した本体部を切断用溝で切り離した状態の横断面図、（ｂ）は切り離したプラスチック被覆から光ファイバ心線を取り出した状態の横断面図である。
【図９】光ケーブルの支持線部から切り離された本体部を切断用溝で切り開いて、内部の光ファイバ心線を所定長に渡って剥き出した状態の説明図である。
【図１０】図９に示した剥き出しの光ファイバ心線と、光ファイバ心線から分離されたテンションメンバーとを図１に示した光ケーブル用保安箱の箱本体の溝に収容した状態の平面図である。
【図１１】（ａ）箱本体のテンションメンバガイド溝に収容したテンションメンバーの中間部を切断した後に、（ｂ）箱本体に蓋体を係着させる工程の平面図である。
【図１２】（ａ）箱本体のテンションメンバガイド溝に収容したテンションメンバーの中間部を切断した後に、（ｂ）箱本体に蓋体を係着させる工程の正面図である。
【図１３】光ケーブルの取付けを済ませた光ケーブル用保安箱の正面図である。
【図１４】架空光配線網から家屋に光ケーブルを引き込む形態の説明図である。
【図１５】家屋への引き込みに使用される光ケーブルの拡大斜視図である
【図１６】光ケーブル等の家屋等への引き込み点で光ケーブルの配線路に介装される従来のケーブル用保安箱の分解斜視図である。
【図１７】図１６に示したケーブル用保安箱の箱本体に光ケーブル等を取り付けた状態の斜視図である。
【符号の説明】
７  光ケーブル（光ドロップケーブル）
１１  光ファイバ心線
１２  プラスチック被覆
１３  本体部
１４  支持線
１５  支持線部
１６  首部
１８  テンションメンバー
３１  光ケーブル用保安箱
３３  箱本体
３５  蓋体
４１  心線ガイド溝
４２  テンションメンバガイド溝
４４  係止突起
４５  係止穴
４６  保持部
４６ａ  溝
４７  支持線収容部
４８  係止突起
４９  案内用段差部
５１  突出部
５４  弾性片
５５  係合穴
Ｒ１  湾曲（溝構造）
【図１】
2004205609.tif 000003
【図２】
2004205609.tif 000004
【図３】
2004205609.tif 000005
【図４】
2004205609.tif 000006
【図５】
2004205609.tif 000007
【図６】
2004205609.tif 000008
【図７】
2004205609.tif 000009
【図８】
2004205609.tif 000010
【図９】
2004205609.tif 000011
【図１０】
2004205609.tif 000012
【図１１】
2004205609.tif 000013
【図１２】
2004205609.tif 000014
【図１３】
2004205609.tif 000015
【図１４】
2004205609.tif 000016
【図１５】
2004205609.tif 000017
【図１６】
2004205609.tif 000018
【図１７】
2004205609.tif 000019